(57)【要約】【課題】ベースジャッキからの脚部の抜け止めを防止する足場用ジャッキの抜け止め構造を提供する。【解決手段】ハンドル付き回転体１３に抜け止め具１１の本体１５が外嵌される。また、抜け止め具１１は、本体１５から突出して設けられた板ばね片１６を備えている。その板ばね片１６は、ベースジャッキ１２との間に脚部１４を押圧して挟み込むとともに、ベースジャッキ１２の外周面に向かって脚部１４を付勢するものである。そして、板ばね片１６には、脚部１４を押圧する押圧面に、上記脚部１４の突出部１８を係止する凹部１９が形成されている。これにより、建枠の脚部１４をベースジャッキ１２に固定することができる。建枠の脚部１４から持ち上げても、その脚部１４からベースジャッキ１２の抜けを防止することができる。【選択図】図１
2008150150.tif 000002
【特許請求の範囲】
【請求項１】
ベースジャッキにハンドル付き回転体がねじ込まれ、そのベースジャッキに嵌め込まれた建枠の脚部の抜け止めを行う足場用ジャッキの抜け止め構造において、
上記脚部の外周面に、外側に突出した突出部を配設するとともに、
上記ハンドル付き回転体に外嵌することにより、ベースジャッキからの上記脚部の抜け止めを行う抜け止め具を配設し、
上記抜け止め具は、上記ハンドル付き回転体に外嵌される本体と、
その本体から上記脚部の軸方向に突出した板ばね片とを備え、
上記板ばね片は、上記ベースジャッキとの間に上記脚部を押圧して挟み込むとともに、上記ベースジャッキの外周面に向かって上記脚部を付勢し、上記脚部を押圧する押圧面に上記突出部を係止する凹部を配設した足場用ジャッキの抜け止め構造。
【請求項２】
上記突出部は、上記脚部の外周面に沿って環状に形成された請求項１に記載の足場用ジャッキの抜け止め構造。
【発明の詳細な説明】
【技術分野】
【０００１】
この発明は足場用ジャッキの抜け止め構造、詳しくは工事現場で使用する枠組足場の基礎部分である足場用ジャッキの抜け止め構造に関する。
【背景技術】
【０００２】
工事現場では、建物の新築、解体またはリフォームなどの工事に際しては、枠組足場 が高所作業用として広く使用されている。枠組足場は、複数の建枠、布枠およびブレースの主要部などで構成され、それらの部材の最下部には基礎となる足場用ジャッキが設けられる。
足場用ジャッキは、水平面に載置されるベース板と、そのベース板上に立設され、その外周面に雄ねじが形成された円柱状の支柱を備えたベースジャッキを有している。また、この足場用ジャッキは、上記支柱にねじ込まれる略円筒状の回転体を有し、その回転体から水平方向に突出して設けられたハンドルを備えたハンドル付き回転体を有するものである。
上記ベースジャッキの支柱には、上記建枠の脚部（足場用パイプ）が嵌め込まれる。そして、脚部は、その先端（下端）がハンドル付き回転体に当接するまで嵌め込まれる。また、上記ハンドル付き回転体は、ベースジャッキの支柱にねじ込まれる構造を有している。この足場用ジャッキにより、基礎に高低がある場合でも、上記脚部の高さを調整することができる。
【０００３】
この場合、上記脚部は、上記ハンドル付き回転体の回転体の上に単に嵌合して当接・載置された状態である。すなわち、上記ベースジャッキと上記脚部との間には抜け止め具が存在しない。したがって、水平方向などへの搬送する時、この脚部パイプからベースジャッキが抜け落ちるなどの問題が生じていた。よって、再度、ベースジャッキに建枠の脚部を嵌め込まなければならないという手間が生じていた。
そこで、この問題を解消するために、さまざまな工夫がなされた足場用ジャッキが開示されている。例えば、特許文献１には、脚部の抜けを防止することが可能なベースジャッキが開示されている。この文献には、フランジ部材と、フック部材と、外れ止め部材とで構成された抜け止め具が開示されている。
【特許文献１】特開平１０−２３６７８４号公報
【発明の開示】
【発明が解決しようとする課題】
【０００４】
しかしながら、上記特許文献１に記載の抜け止め具は、上記３つの部材が必要であり、また、その着脱が非常に煩わしい。
また、上記３つの部材のうち１つの部材が欠けると、抜け止め具として、機能を果たさなくなってしまう。
さらに、上記３つの部材は、構造的に複雑であり、個別に製造するので、それらを製造するコストが高くなってしまう。
【０００５】
この発明は、上記問題を解決するためになされたもので、ベースジャッキからの脚部の抜けを防止することができる足場用ジャッキの抜け止め構造を提供することを目的とする。
また、この発明は、抜け止め具の着脱が容易にできる足場用ジャッキの抜け止め構造を提供することを目的とする。
【課題を解決するための手段】
【０００６】
請求項１に記載の発明は、ベースジャッキにハンドル付き回転体がねじ込まれ、そのベースジャッキに嵌め込まれた建枠の脚部の抜け止めを行う足場用ジャッキの抜け止め構造において、上記脚部の外周面に、外側に突出した突出部を配設するとともに、上記ハンドル付き回転体に外嵌することにより、ベースジャッキからの上記脚部の抜け止めを行う抜け止め具を配設し、上記抜け止め具は、上記ハンドル付き回転体に外嵌される本体と、その本体から上記脚部の軸方向に突出した板ばね片とを備え、上記板ばね片は、上記ベースジャッキとの間に上記脚部を押圧して挟み込むとともに、上記ベースジャッキの外周面に向かって上記脚部を付勢し、上記脚部を押圧する押圧面に上記突出部を係止する凹部を配設した足場用ジャッキの抜け止め構造である。
【０００７】
ベースジャッキの種類としては、例えば、溝切ジャッキ、大引ジャッキ、棒ジャッキが挙げられる。
上記脚部とは、円筒形状を有する建枠の脚部となる部分（足場鋼管など）である。建枠の種類としては、鳥居型枠、梯子型枠などが挙げられる。
脚部に設けられる突出部の形状は限定されない。例えば、環状の突出部でもよいし、複数個の突起が、脚部の周方向に離間して配設されたものでもよい。または、脚部の外周面にビスを止め、そのビスの頭で突出部とすることもできる。
また、上記突出部の形成方法も限定されない。例えば、環状の突出部をビード加工またはバルジ加工により形成することもできる。または、通常の建枠の脚部に、その断面が円形、半円形または矩形の環体を突出部として配設し、ビス止め、溶接などして設けることもできる。
【０００８】
抜け止め具の板ばね片の形状は限定されない。例えば、ハンドル付き回転体からベースジャッキの軸線方向に沿って三角形状に突出しても良く、または短冊状などの略矩形状を有して突出させることもできる。
その板ばね片は脚部（足場パイプ）の円周方向において複数個設けることができる。その個数は限定されず、例えば、１８０度間隔ごとに２個、または９０度間隔ごとに４個設けることができる。
上記板ばね片は、本体と一体に形成しても良く、また、本体から分離した構造を有していてもよい。例えば、板ばね片は、本体にビス止めして分離できるように設けることもできる。
また、抜け止め具の本体の形状は限定されない。例えば、円筒形状を有することもできる。
抜け止め具の素材は、その形成が容易で軽い合成樹脂が使用されることが好ましい。合成樹脂としては、熱硬化性樹脂でも熱可塑性樹脂でもよい。例えば、機械的強度に優れたアクリロニトリルブタジエンスチレン樹脂（ＡＢＳ樹脂）が使用される。なお、金属製品で成形してもよいことは勿論である。
また、抜け止め具を合成樹脂で形成すれば、強度の調整が容易である。
【０００９】
請求項１に記載の発明によれば、抜け止め具は、足場用ジャッキのハンドル付き回転体にその本体が外嵌される。また、抜け止め具は、本体から突出して設けられた板ばね片を備えている。その板ばね片は、ベースジャッキとの間に脚部を押圧して挟み込むとともに、ベースジャッキの外周面に向かって脚部を付勢するものである。そして、板ばね片には、脚部を押圧する押圧面に、上記脚部の突出部を係止する凹部が形成されている。これにより、建枠の脚部をベースジャッキに固定することができる。建枠の脚部から持ち上げても、その脚部からベースジャッキの抜けを防止することができる。また、板ばね片の板ばねの付勢を解除すれば、ベースジャッキから容易に建枠の脚部を取り外すことができる。しかも、取付時、抜け止め具は、ハンドル付き回転体に対してネジ止めなどで固定していないので、ハンドル付き回転体をベースジャッキにねじ込みそのねじ込み高さ位置を調整することにより脚部（パイプ）の高さを調整することができる。
【００１０】
請求項２に記載の発明は、上記突出部は、上記脚部の外周面に沿って環状に形成された請求項１に記載の足場用ジャッキの抜け止め構造である。
【００１１】
請求項２に記載の発明によれば、上記突出部は、上記脚部（パイプ）の外周面に沿って環状に形成されている。環状の突出部はビード加工、バルジ加工などにより容易に形成することができる。
【発明の効果】
【００１２】
本願発明に係る抜け止め具では、足場用ジャッキのハンドル付き回転体にその本体を外嵌する。このとき、抜け止め具の本体から脚部の軸方向に沿って突出している板ばね片は、脚部をベースジャッキも外周面に向かって押圧している。そして、この押圧面には上記突出部に係止する凹部が形成されている。これにより、建枠の脚部は、その突出部が板ばね片の凹部に係止され、板ばねとベースジャッキとの間で固定される。よって、建枠の脚部のみを上に持ち上げても、足場用ジャッキはその脚部から外れることはない。
また、何らかの手段により板ばね片をその付勢方向とは逆方向に付勢して板ばね片の板ばねの付勢を解除すれば、ベースジャッキから建枠の脚部を容易に取り外すことができる。しかも、足場用ジャッキへの取付時、抜け止め具は、ハンドル付き回転体に対してのみ固定され、ベースジャッキには固定されていないので、その取付後においてハンドル付き回転体を回転させて脚部の高さを簡単に調整することができる。
【発明を実施するための最良の形態】
【００１３】
以下、この発明の実施例を具体的に説明する。図１〜図３はこの発明の一実施例に係る足場用のジャッキを示している。
【実施例１】
【００１４】
以下、この発明の第１の実施例を図１〜図３を参照して説明する。
図１および図２に示すように、本願発明に係る足場用ジャッキの抜け止め構造１０は、金属製のベースジャッキ１２を有している。このベースジャッキ１２は、工事現場などで床面など略水平な箇所・位置に設置される略矩形状のベース板２１を備えている。
また、このベース板２１上の中央部には、円柱形状を有し、その外周面に雄ねじが形成された所定高さの支柱２２が立設されている。ベースジャッキ１２の種類としては、例えば、溝切ジャッキ、大引ジャッキ、棒ジャッキが挙げられる。
【００１５】
また、ベースジャッキ１２には、所定高さで所定肉厚の略円筒状の回転体（ボス部）２６を有するハンドル付き回転体１３が配設されている。ハンドル付き回転体１３の回転体２６の内周面には、上記支柱２２にねじ込まれる雌ねじが形成されている。また、ハンドル付き回転体１３は、回転体２６から水平方向の両側に所定長さを有して突出した一対のハンドル２３を備えている。すなわち、ハンドル付き回転体１３は、このハンドル２３により回転体２６を回転することにより、ベースジャッキ１２の支柱２２にねじ込まれる。
【００１６】
さらに、上記ベースジャッキ１２の頭部（支柱２２）には、建枠の支柱である円筒状の脚部１４（パイプ）が嵌め込まれている。そして、その脚部１４の先端が、上記ハンドル付き回転体１３の回転体２６の上部段差部２７に当接するまで嵌め込まれている。
ここで、上記建枠の脚部１４とは、例えば、鳥居型枠または梯子型枠などの建枠の脚となる部分である。そして、脚部１４の先端（下端）は、円筒形状を有している。
また、上記脚部１４の下部には、外側に膨らみを持たせた突出部１８がその外周面に形成されている。突出部１８は、図１に示すように、その膨らみが環状に形成されたものである。この環状の突出部１８はビード加工、プレス成形（バルジ加工）等により形成される。
【００１７】
そして、上記ハンドル付き回転体１３には、本願発明に係る抜け止め具１１の円筒状の本体１５が外嵌される。抜け止め具１１は、例えば、機械的強度に優れたアクリロニトリルブタジエンスチレン樹脂（ＡＢＳ樹脂）で形成される。この抜け止め具１１は、略円筒状の本体１５を有している。また、この本体１５には、上記ハンドル付き回転体１３のハンドル２３に嵌入される半円形の切り欠き２４が本体１５の両側に形成されている。
【００１８】
また、本体１５の下部には、ハンドル付き回転体１３の下部に掛止する爪１７が設けられている。爪１７は、本体１５の下部からベースジャッキ１２の支柱２２に向かって突出した略矩形状を有している。また、爪１７は、複数個設けられ、各爪１７との間には、切り欠き部２５が設けられる。これにより、複数個の爪１７が左右に開きやすくなる。
【００１９】
さらに、本体１５の上端からベースジャッキ１２の支柱２２の軸方向の上方に向かって突出した板ばね片１６が設けられている。図３に示すように、その板ばね片１６は、９０度間隔ごとに４個設けられている。また、板ばね片１６は、所定幅、所定長さを有して略矩形状に形成されている。板ばね片１６の厚さは任意とする。
その板ばね片１６は、ベースジャッキ１２の支柱２２の外周面に向かって脚部１４を付勢する板ばねとして機能する。抜け止め具１１を回転体１３に装着した状態では、板ばね片１６は、外力が作用していない場合には、脚部１４の外周面に当接した状態である。
さらに、上記板ばね片１６の上記脚部１４の外周面を押圧する押圧面には、上記環状の突出部１８を係止する凹部１９が設けられている。その凹部１９は、軸線が水平方向に延びるハーフパイプ形状を有して、板ばね片１６の押圧面の略中央部に配設されている。
【００２０】
次に、本願に係る足場用ジャッキの抜け止めの構造について説明する。
まず、複数個のベースジャッキ１２を工事現場の水平面に載置する。また、ベースジャッキ１２の支柱２２には、ハンドル付き回転体１３が所定高さ位置にねじ込まれている。次いで、ベースジャッキ１２の支柱２２に、抜け止め具１１の本体１５を挿入する。そして、その本体１５をハンドル付き回転体１３の回転体２６に位置させる。
そして、抜け止め具１１の爪１７をハンドル付き回転体１３の回転体２６の下部に引っ掛ける。これにより、抜け止め具１１の本体１５をハンドル付き回転体１３の回転体２６に嵌合することができる。
【００２１】
さらに、鳥居型枠などの建枠の脚部１４を、その先端（下端）が上記ハンドル付き回転体１３の回転体２６の頭部に当接するまで、ベースジャッキ１２の支柱２２に挿入する。上記脚部１４には、環状の突出部１８がその外周面に形成されている。脚部１４を降下させると、上記突出部１８が、板ばね片１６の内周面に当接し、その板ばね片１６を脚部１４の円形断面における放射方向に開かせる（拡げる）。
さらに、脚部１４を降下させると、その脚部１４の突出部１８が板ばね片１６の凹部１９に嵌り込む。また、板ばね片１６は、ベースジャッキ１２の支柱２２の外周面との間に脚部１４を押圧して挟み込むとともに、ベースジャッキ１２の支柱２２の外周面に向かって脚部１４を押圧して付勢する。
このように支柱２２に抜け止め具１１を嵌合して配設することにより、脚部１４を、抜け止め具１１とベースジャッキ１２の支柱２２との間に挟み付けて強固に固定保持することができる。また、抜け止め具１１は、ハンドル付き回転体１３には一体化されて嵌合掛止される。よって、この抜け止め具１１は、全体として、ベースジャッキ１２の支柱２２に対してはその軸線回りに回転自在に設けられていることとなる。
この結果、建枠を持ち上げても、その脚部１４はベースジャッキ１２の支柱２２から抜けることがない。また、ハンドル付き回転体１３の回転体２６の支柱２２へのねじ込み位置を変更することにより、抜け止め具１１がハンドル付き回転体１３に取り付けられた状態で脚部１４の下端の高さ位置を調整することができる。
【００２２】
次に、足場を撤去する場合、まず、上記板ばね片１６を脚部１４の放射方向に足で踏んだりまたは工具などで押し開きながら、脚部１４を持ち上げる。すると、板ばね片１６の凹部１９への突出部１８の係止が解除される。これにより、ベースジャッキ１２の支柱２２から脚部１４を抜き出すことができる。このように、本願発明に係る抜け止め具１１は、ワンタッチでハンドル付き回転体１３から取り外すことができる。
また、本願発明に係る抜け止め具１１は、ワンタッチでハンドル付き回転体１３に装着することができる。工事現場で、足場を頻繁に移動する場合でも、ベースジャッキ１２から脚部１４が抜け落ちることがない。
【図面の簡単な説明】
【００２３】
【図１】この発明の実施例１に係る足場用ジャッキの抜け止め構造の全体構成を示す斜視図である。
【図２】この発明の実施例１に係る足場用ジャッキの抜け止め構造の全体構成を示す断面図である。
【図３】図２のＡ−Ａ線から見た断面を示す平面図である。
【符号の説明】
【００２４】
１０  足場用ジャッキの抜け止め構造、
１１  抜け止め具、
１２  ベースジャッキ、
１３  ハンドル付き回転体、
１４  脚部、
１５  本体、
１６  板ばね片、
１７  爪、
１８  突出部、
１９  凹部。
【図１】
2008150150.tif 000003
【図２】
2008150150.tif 000004
【図３】
2008150150.tif 000005